(57)【要約】【課題】止水操作部材を吐水操作部材が設けられている面に設けるとともに、コンパクトな水栓装置を提供する。【解決手段】使用者によって押し込み操作される複数の吐水操作部材と、第１の付勢手段によって初期位置へと付勢されており、複数の吐水操作部材の押し込み操作時に初期位置から押込位置へと移動することで複数の弁部材を押し込む複数の操作カム部と、第２の付勢手段によってロック解除位置からロック位置へと付勢されており、操作カム部が押込位置に移動した際に初期位置への移動を規制することで、操作カム部を押込位置に保持するロック部材と、押し込み操作されることでロック部材をロック解除位置へと移動させ、押込位置に保持された操作カム部の初期位置への移動の規制を解除させる止水操作部材とを備えた水栓装置において、吐水操作部材の押し込み方向には弁部材が配置されており、止水操作部材の押し込み方向には湯水混合弁が配置されている。【選択図】  図４
2015096669.tif 000002
【特許請求の範囲】
【請求項１】
給水源から流入した湯と水の混合比を調節する湯水混合弁と、
前記湯水混合弁の下流側に設けられた複数の流路と、
使用者によって押し込み操作される複数の吐水操作部材と、
前記複数の流路にそれぞれ設けられており、前記複数の吐水操作部材の押し込み操作に応じて流路を開放する複数の弁部材と、
第１の付勢手段によって初期位置へと付勢されており、前記複数の吐水操作部材の押し込み操作時に前記初期位置から押込位置へと移動することで前記複数の弁部材をそれぞれ押し込む複数の操作カム部と、
第２の付勢手段によってロック解除位置からロック位置へと付勢されており、前記操作カム部が前記押込位置に移動した際に前記初期位置への移動を規制することで、前記操作カム部を前記押込位置に保持するロック部材と、
押し込み操作されることで、前記ロック部材を前記ロック位置から前記ロック解除位置へと移動させ、前記押込位置に保持された前記操作カム部の前記初期位置への移動の規制を解除させる止水操作部材と、を備えた水栓装置において、
前記複数の吐水操作部材の押し込み方向には、前記複数の弁部材がそれぞれ配置されており、
前記止水操作部材の押し込み方向には、前記湯水混合弁が配置されていることを特徴とする水栓装置。
【請求項２】
前記複数の流路は、スパウトから水を吐水させる吐水口に連通する第１の流路と、シャワーヘッドから水を吐水させる吐水口に連通する第２の流路と、を含んでおり、
前記止水操作部材及び前記複数の吐水操作部材は同一直線上に配列されており、
前記止水操作部材に隣接する前記吐水操作部材は、前記第１の流路を開閉弁させるよう前記弁部材を駆動させることを特徴とする請求項１に記載の水栓装置。
【請求項３】
前記複数の操作カム部のうちの第１の操作カム部が、前記第２の付勢手段により前記押込位置に保持されている状態において、前記複数の操作カム部のうちの第２の操作カム部が、操作力により前記初期位置から押し込まれると、前記第２の操作カム部により前記ロック部材が前記ロック位置から前記ロック解除位置に移動され、これにより、前記第１の操作カム部が前記押込位置から前記初期位置へ復帰されるとともに、前記第２のカム部が前記押込位置まで押し込まれると、前記ロック部材が前記ロック解除位置から前記ロック位置へ移動され、前記第２の操作カム部が前記押込位置に保持されることを特徴とする請求項１又は２に記載の水栓装置。
【請求項４】
前記複数の吐水操作部材と止水操作部材との間には、それぞれ仕切り部が設けられていることを特徴とする請求項１乃至３の何れか１項に記載の水栓装置。
【発明の詳細な説明】
【技術分野】
【０００１】
本発明は、複数の吐水部からの吐止水を切替操作するために、水の吐止水を制御する複数の操作部材を備えた水栓装置に関する。
【背景技術】
【０００２】
従来の水栓装置の一例として、特開２００５−１７９９１５号公報（特許文献１）のように、内部に複数の流路を備えており、それぞれの流路に対応した吐水操作部材を押すことで、これらの流路を切り替えることができるものが知られている。このような水栓装置においては、各吐水操作部材にはそれぞれ弁部材が対応して設けられており、各吐水操作部材を押圧すると、隣接している弁部材が開弁され、目標の流路に水が吐出される。このように構成することで、吐水操作部材を押すという簡単な動作で流路の切替を行うことが出来るようになり、利便性が向上するものである。
【０００３】
このような水栓装置では、止水を行う際には、吐水中の流路に応じた吐水操作部材を再度、操作する必要があった。使用者が誤って吐水中の流路とは異なる吐水操作部材を押してしまった場合、使用者の意にそぐわない流路から吐水が行われる可能性がある。特に、スパウトから吐水しているような場合に誤って頭上のシャワーヘッドへの流路を開放してしまうと、使用者が水を被ってしまう恐れがあった。そこで、実開平６−４１８８７号公報（特許文献２）のように、吐水操作部材と同様の押圧操作型である止水操作部材を別途独立して設けるものが知られている。
【０００４】
【特許文献１】特開２００５−１７９９１５号公報
【特許文献２】実開平６−４１８８７号公報
【発明の開示】
【発明が解決しようとする課題】
【０００５】
しかし、流量調整部材や水の温度を調整する温度調整部材が設けられている水栓装置に、特許文献２のように、止水操作部材を吐水操作部材が設けられている面とは別の面に設けることは難しく、たとえ設けることができたとしても、使い勝手が悪いものとなってしまう。しかしながら、止水操作部材を吐水操作部材が設けられている面に設けると、水栓装置が大型化してしまうという課題が存在した。
【０００６】
そこで、本発明は、上述した課題を解決するためになされたものであり、独立した止水操作部材を吐水操作部材が設けられている面に設けるとともに、コンパクトな水栓装置を提供することを目的としている。
【課題を解決するための手段】
【０００７】
上述した目的を達成するために、本発明は、給水源から流入した湯と水の混合比を調節する湯水混合弁と、前記湯水混合弁の下流側に設けられた複数の流路と、前記複数の流路にそれぞれ設けられており、押し込まれることで開閉可能である複数の弁部材と、押し込み操作される複数の吐水操作部材と、第１の付勢手段によって初期位置へと付勢されており、前記複数の吐水操作部材の押し込み操作時に前記初期位置から押込位置へと移動することで前記複数の弁部材をそれぞれ押し込む複数の操作カム部と、第２の付勢手段によってロック解除位置からロック位置へと付勢されており、前記操作カム部が前記押込位置に移動した際に前記初期位置への移動を規制することで、前記操作カム部を前記押込位置に保持するロック部材と、使用者によって押し込み操作されることで、前記ロック部材を前記ロック位置から前記ロック解除位置へと移動させ、前記押込位置に保持された前記操作カム部の前記初期位置への移動の規制を解除させる止水操作部材と、を備えた水栓装置において、前記複数の吐水操作部材の押し込み方向には、前記複数の弁部材がそれぞれ配置されており、前記止水操作部材の押し込み方向には、前記湯水混合弁が配置されていることを特徴としている。
【０００８】
このように構成された本発明においては、水栓装置に押し込み操作式の止水操作部材を別途設けているため、どのような吐水が行われていたとしても、使用者はワンスイッチで止水させることができ、使い勝手が良く、こまめに止水を行うことが出来るため、節湯・節水に貢献することが出来る。また、止水操作部材の下方には弁部材を配置する必要がないため、その空いている空間に湯水混合弁を配置させることで、水栓装置をコンパクト化することができる。
【０００９】
本発明において、好ましくは、前記複数の流路は、スパウトから水を吐水させる吐水口に連通する第１の流路と、シャワーヘッドから水を吐水させる吐水口に連通する第２の流路と、を含んでおり、前記止水操作部材及び前記複数の吐水操作部材は同一直線上に配列されており、前記止水操作部材に隣接する前記吐水操作部材は、前記第１の流路を開閉弁させるよう前記弁部材を駆動させるように構成されている。
【００１０】
このように構成された本発明においては、止水操作部材にシャワー吐水用の吐水部材ではなくスパウト吐水用の吐水部材を隣接させることで、止水させたいときに誤って止水操作部材の隣の吐水部材を操作してしまったとしても、スパウトから吐水されるだけであり、シャワーヘッドからの吐水を頭からかぶることがなく、安全である。
【００１１】
本発明において、好ましくは、前記複数の操作カム部のうちの第１の操作カム部が、前記第２の付勢手段により前記押込位置に保持されている状態において、前記複数の操作カム部のうちの第２の操作カム部が、操作力により前記初期位置から押し込まれると、前記第２の操作カム部により前記ロック部材が前記ロック位置から前記ロック解除位置に移動され、これにより、前記第１の操作カム部が前記押込位置から前記初期位置へ復帰されるとともに、前記第２のカム部が前記押込位置まで押し込まれると、前記ロック部材が前記ロック解除位置から前記ロック位置へ移動され、前記第２の操作カム部が前記押込位置に保持されるように構成されている。
【００１２】
このように構成された本発明においては、吐水形態を切り替えた際に、止水操作部材を操作せずとも、吐水形態が切り替わる直前の吐水状態を解除することができ、使い勝手が良い。
【００１３】
本発明において、好ましくは、前記複数の吐水操作部材と止水操作部材との間には、それぞれ仕切り部が設けられているように構成されている。
【００１４】
このように構成された本発明においては、操作部材を操作する際に、誤って隣接している他の操作部材を操作してしまうことを防ぐことができる。また、複数の部材を同時に押圧することも防止することが出来る。
【発明の効果】
【００１５】
本発明の水栓装置によれば、止水操作部材を吐水操作部材が設けられている面に設けるとともに、コンパクトな水栓装置を提供することができる。
【図面の簡単な説明】
【００１６】
【図１】本発明の一実施形態による水栓装置全体を示す外観斜視図である。
【図２】本発明の一実施形態による水栓本体の平面図である。
【図３】図２の水栓本体における分解図である。
【図４】図２の水栓本体におけるＡ−Ａ線断面図である。
【図５】図４において、スパウト吐水操作部材が押されていない状態でのスパウト吐水操作部材近傍を表す断面図である。
【図６】図４において、スパウト吐水操作部材が押されている状態でのスパウト吐水操作部材近傍を表す断面図である。
【図７】図４において、止水操作部材が押されていない状態での止水操作部材近傍を表す断面図である。
【図８】図４において、止水操作部材が押されている状態での止水操作部材近傍を表す断面図である。
【発明を実施するための最良の形態】
【００１７】
以下、本発明の一実施形態による水栓装置を、添付図面を参照して説明する。
【００１８】
図１は、本発明の一実施形態による水栓装置全体を示す外観図であり、図２は水栓本体の平面図である。本発明の一実施形態による水栓装置１は、水栓本体２と、水栓本体２の図１における左端部に取り付けられた湯温調節用操作ハンドル４と、を有する。また、水栓装置１は、温度調節された水を吐出させる吐出部であるスパウト６及びシャワーヘッド８を有する。本実施形態の水栓装置１は、壁面に設けられた給湯管（図示せず）及び給水管（図示せず）から供給された湯及び水を、湯温調節用操作ハンドル４によって設定された温度になるように混合し、スパウト６又はシャワーヘッド８から吐出させるように構成されている。
【００１９】
水栓本体２には、外部の給水源（図示せず）に接続されている給湯管（図示せず）及び給水管（図示せず）から供給された湯及び水を、適宜混合して所望の温度に調節する湯水混合弁１０（図２参照）が内蔵されている。湯温調節用操作ハンドル４を廻すことによって水栓本体２に内蔵された湯水混合弁１０を操作し、湯水混合弁１０によって調節される湯の温度を変化させることができるように構成されている。
【００２０】
水栓本体２は、矩形型に形成された押しボタンであるシャワーヘッド吐水操作部材１２、スパウト吐水操作部材１４、止水操作部材１６をそれぞれ有している。シャワーヘッド吐水操作部材１２を押すと、シャワーヘッド８から水が吐出され、スパウト吐水操作部材１４を押すと、スパウト６から水が吐出される。止水操作部材１６を押すと、シャワーヘッド８又はスパウト６から吐水される水が停止する。
【００２１】
図２に示すように、水栓本体２に設けられたシャワーヘッド吐水操作部材１２、スパウト吐水操作部材１４、止水操作部材１６は、それぞれ同一直線上に配列されている。止水操作部材１６は、各操作部材のうち、正面から見て最も左側に位置している。止水操作部材１６はスパウト吐水操作部材１４と隣接しており、シャワーヘッド吐水操作部材１２とは隣接していない。このような構成にすることで、止水操作部材１６を押して止水させようとした際に、誤って隣のスパウト吐水操作部材１４を押してしまっても、スパウト６から水が吐出されるだけなので、シャワーヘッド８からの水を浴びることがなく、使用者にとって安全である。
【００２２】
図３は、本発明の一実施形態による水栓本体の分解図である。図３に示すように、水栓本体２は、シャワーヘッド吐水操作部材１２、スパウト吐水操作部材１４、止水操作部材１６を備えた金属製のカバー部１８と、カバー部１８の下方に設けられた樹脂製のカム機構部２０と、カム機構部２０の下方に設けられた金属製の水栓本体基端部２２とで、構成されている。カム機構部２０にはロック部材２４、第１操作カム部２６、第２操作カム部２８が、それぞれ設けられている。ロック部材２４には、ばねで構成された第２の付勢手段３０が設けられており、ロック部材２４を、水栓本体２の図１における左端部から右端部の方向、即ち図３における矢印Ａの方向へ付勢している。カム機構部２０の詳しい動作については後述する。水栓本体基端部２２の内部には湯水混合弁１０が設けられている。
【００２３】
止水操作部材１６の下部にはロック解除カム部３２が備わっており、止水操作部材１６を押すことで、カム機構部２０のロック部材２４に設けられた開口部２４ａに挿入される。なお、説明の都合上、図３において吐水操作部材１６は透明の部材で表しているが、もちろん透明である必要はない。
【００２４】
図３に示すように、カバー部１８には、各操作部材の間を仕切るように、仕切り部３４が一体に延設されている。仕切り部３４によって、シャワーヘッド吐水操作部材１２とスパウト吐水操作部材１４、又はスパウト吐水操作部材１４と止水操作部材１６とを同時に押してしまうことを防ぎ、操作部材の誤操作を防止する。
【００２５】
カバー部１８の上面は、段差のないフラット形状になるように形成されている。このように形成されることによって、使用者は水栓本体２の拭き掃除等のお手入れがしやすくなり、容易に清掃することが可能となる。また、このように、カバー部１８の表面は段差のないフラット形状で形成されているため、見た目がすっきりしており、水栓本体２の外観品位が向上する。
【００２６】
図４は、図２における水栓本体のＡ−Ａ線断面図である。給湯管（図示せず）及び給水管（図示せず）から供給された湯及び水は、湯水混合弁１０によって適宜混合して所望の温度に調節され、湯水混合弁流出口１０ａから流出する。流出された水は、スパウト６の吐水口であるスパウト吐水口６ａへと繋がっている第１の流路３６と、シャワーヘッド８の吐水口であるシャワーヘッド吐水口８ａへと繋がっている第２の流路３８にそれぞれ流入する。第１の流路３６及び第２の流路３８は、それぞれ第１弁部材４０及び第２弁部材４２によって閉止状態に保持されており、それぞれの弁部材が開弁動作することでそれぞれの流路が開通する。第１弁部材４０及び第２弁部材４２は、一般的なダイヤフラム弁であり、ダイヤフラム弁の具体的な開閉弁動作の説明は省略する。
【００２７】
ロック部材２４は、第２の付勢手段３０によって、常にロック位置という所定位置に移動するように、矢印Ａの方向へ付勢されている。ロック部材２４には、複数の開口部２４ａが設けられており、スパウト吐水操作部材１４及びシャワーヘッド吐水操作部材１２の下方に位置する開口部２４ａには、それぞれ第１操作カム部２６及び第２操作カム部２８が挿入されている。
【００２８】
第１操作カム部２６は、第１カム構成部材２６ａを備えており、第１カム構成部材２６ａは、第１カム傾斜部２６ｂ、第１カム上面部２６ｃを有している。第２操作カム部２８は、第２カム構成部材２８ａを備えており、第２カム構成部材２８ａは、第２カム傾斜部２８ｂ、第２カム上面部２８ｃを有している。第１カム傾斜部２６ｂ及び第２カム傾斜部２８ｂは、水平面に対して下向きに約４５度傾斜しており、第１カム上面部２６ｃ及び第２カム上面部２８ｃは水平面に対して略水平である。図４に示すように、この各カム傾斜部と各カム上面部とによって、各カム構成部材は外側へ突出するように爪状に構成され、ロック部材２４の各開口部２４の内周壁と当接されている。第１操作カム部２６及び第２操作カム部２８は、ばねで構成された第１の付勢手段４４によって、常に初期位置という所定位置に移動するように、水栓本体基端部２２からカバー部１８へ向かう方向、即ち矢印Ｂの方向へ付勢されている。スパウト吐水操作部材１４を押すと、第１操作カム部２６は下方へ付勢されることで押圧位置へ移動する。第１操作カム部２６が押圧位置に移動すると、第１弁部材４０が開弁動作を行い、第１の流路３６が開通され、スパウト吐水口６ａへと水が流出し、外部へ水を吐出させる。一方、シャワーヘッド吐水操作部材１２を押すと、第２操作カム部２８は下方へ付勢されることで押圧位置へ移動する。第２操作カム部２８が押圧位置に移動すると、第２弁部材４２が開弁動作を行い、第２の流路３８が開通され、シャワーヘッド吐水口８ａへと水が流出し、外部へ水を吐出させる。
【００２９】
図５、図６を用いて、スパウト吐水操作部材１４を押した際の第１操作カム部２６及びロック部材２４の動作を説明する。図５は、図４において、スパウト吐水操作部材が押されていない状態でのスパウト吐水操作部材近傍を表す断面図である。図６は、図４において、スパウト吐水操作部材が押されている状態でのスパウト吐水操作部材近傍を表す断面図である。
【００３０】
図５に示すように、スパウト吐水操作部材１４が押されていない状態において、第１操作カム部２６は第１の付勢手段４４によって矢印Ｂの方向へ付勢されており、ロック部材２４は第２の付勢手段３０によって矢印Ａの方向へ付勢されている。これらの付勢力によって、第１操作カム部２６は初期位置に、ロック部材２４はロック位置にそれぞれ保持されており、第１カム構成部材２６ａの第１カム傾斜部２６ｂ及び第１カム上面部２６ｃは共に、ロック部材２４より上方に設けられている。
【００３１】
スパウト吐水操作部材１４が押圧されると、スパウト吐水操作部材１４と共に、第１操作カム部２６は初期位置から押圧位置へと移動する。このとき、第１カム傾斜部２６ｂが下方へ移動することで、ロック部材２４は矢印Ａに対して逆方向へ力を受け、ロック解除位置まで移動する。その後、第１操作カム部２６が押圧位置まで移動すると、第１カム傾斜部２６ｂがロック部材２４より下方、即ちロック部材２４が第１カム上面部２６ｃより上方に移動されるため、ロック部材２４はロック解除位置から矢印Ａの方向へ一気に移動し、図６に示すように、ロック位置で停止する。このとき、第１操作カム部２６には矢印Ｂの方向への付勢力が掛かっているが、ロック部材２４が第１カム上面部２６ｃと当接することにより、第１操作カム部２６が押込位置から初期位置へ移動することを防いでいる。
【００３２】
このように、スパウト吐水操作部材１４を押圧すると、第１操作カム部２６は押圧位置まで移動され、スパウト吐水操作部材１４の押圧動作を終了しても、第１操作カム部２６はロック部材２４によって押圧位置に保持される。よって、一度スパウト吐水操作部材１４を押圧すると、ロック部材２４のロック状態を解除させない限り、スパウト６から水を吐出させ続けることができる。
【００３３】
以上、図５、図６を用いて、スパウト吐水操作部材１４を押した際の第１操作カム部２６及びロック部材２４の動作を説明したが、シャワーヘッド吐水操作部材１２を押した際も、第２操作カム部２８及びロック部材２４は、同様の動作が行われる。
【００３４】
次に、図７、図８を用いて、止水操作部材１６を押した際のロック解除カム部３２及びロック部材２４の動作を説明する。図７は、図４において、止水操作部材が押されていない状態での止水操作部材近傍を表す断面図である。図８は、図４において、止水操作部材が押されている状態での止水操作部材近傍を表す断面図である。
【００３５】
図７に示すように、止水操作部材１６が押されていない状態において、止水操作部材１６に設けられたロック解除カム部３２は、ロック部材２４より上方の初期位置に保持されており、ロック部材２４と当接していない。ロック解除カム部３２は、水平面に対して下向きに約４５度傾斜しているロック解除カム傾斜部３２ａを有している。この状態において、止水操作部材１６を押すと、図８に示すように、ロック解除カム部３２は下方へ移動し、ロック部材２４に設けられた開口部２４ａに挿入される。このとき、ロック解除カム部３２は開口部２４ａの内周壁に当接されるため、ロック部材２４はロック解除カム傾斜部３２ａの動きによって矢印Ａに対して逆方向へ力を受け、ロック解除位置まで移動する。ロック部材２４がロック解除位置へと移動すると、押込位置に保持されていた各操作カム部のロックが解除され、矢印Ｂの方向へ移動し、初期位置に保持される。止水操作部材１６の押圧状態を解除すると、止水操作部材１６は再び初期位置へと移動し、その結果、ロック部材２４は、第２の付勢手段３０によってロック解除位置から矢印Ａの方向へ移動され、ロック位置へと保持される。
【００３６】
このように、止水操作部材１６を押圧すると、ロック解除カム部３２はロック部材２４の開口部２４ａに挿入されることで、ロック部材２４のロック状態が解除され、その結果、各操作カム部のロックが解除される。よって、止水操作部材１６を押圧することで、スパウト６又はシャワーヘッド８からの吐水を停止させることができる。
【００３７】
図４では、第１操作カム部２６が初期位置に保持されており、第２操作カム部２８が押込位置に保持されている状態を示している。ロック部材２４はロック位置に保持されており、ロック部材２４が第２カム上面部２８ｃと当接することにより、第２操作カム部２８が押込位置から初期位置へ移動することを防いでいる。
【００３８】
この状態において、スパウト吐水操作部材１４を押すと、第１操作カム部２６は初期位置から下方へ移動する。第１操作カム部２６が下方へ移動すると、第１カム構成部材２６ａと当接していたロック部材２４は、第１カム傾斜部２６ｂの動きによって、矢印Ａに対して逆方向へ付勢され、その結果、ロック部材２４は、ロック位置からロック解除位置へと移動する。ロック部材２４がロック解除位置へと移動すると、押込位置に保持されていた第２操作カム部２８のロックが解除され、矢印Ｂの方向へ移動し、初期位置に保持される。第２操作カム部２８が初期位置に保持されると、第２弁部材４２は閉弁され、第２の流路３８が閉止状態に保持される。
【００３９】
第１操作カム部２６が押込位置まで移動すると、第１弁部材４０が開弁動作を行い、第１の流路３６が開通され、スパウト吐水口６ａへと水が流出し、外部へ水を吐出させる。また、第１操作カム部２６が押込位置まで移動すると、ロック部材２４は矢印Ａの方向へ移動する。その結果、ロック部材２４は再びロック位置に保持され、ロック部材２４が第１カム上面部２６ｃと当接することにより、第１操作カム部２６が押込位置から初期位置へ移動することを防いでいる。
【００４０】
このように、第１操作カム部２６が押込位置に保持されているときに、スパウト吐水操作部材吐水操作部材１４を押すと、止水操作部材１６を押さずとも第２操作カム部２６を初期位置へ移動させてシャワーヘッド８からの吐水を停止すると同時に、スパウト６からの吐水に切り替えることができる。
【００４１】
図４では、第１操作カム部２６が初期位置に保持されており、第２操作カム部２８が押込位置に保持されている状態を用いて説明したが、第１操作カム部２６が押込位置に保持されており、第２操作カム部２８が初期位置に保持されている状態においても、止水操作部材１６を押圧することや、シャワーヘッド吐水操作部材１２を押圧することで、第１操作カム部２６の押込位置への保持状態を解除することができる。
【００４２】
また、スパウト吐水操作部材１４の押し込み方向には第１弁部材４０が、シャワーヘッド吐水操作部材１２の押し込み方向には第２弁部材４２が、止水操作部材１６の押し込み方向には湯水混合弁１０が、それぞれ配置されている。このように、弁部材が配置されていない止水操作部材１６の押し込み方向に湯水混合弁１０を配置させることで、水栓装置１をコンパクト化することができる。
【００４３】
以上より、上述した本発明の一実施形態における水栓装置１によれば、止水操作部材１６を各吐水操作部材が設けられている面に設けるとともに、コンパクトな水栓装置を提供することができる。
【００４４】
本発明の一実施形態においては、水栓装置１は、シャワーヘッド吐水操作部材１２及びスパウト吐水操作部材１４の２つの吐水操作部材を設ける構成にしたが、本発明は、このような構成に限定されるものではなく、２つ以上吐水操作部材を設ける構成にしてもよい。
【００４５】
また、本発明の一実施形態においては、水栓本体２に設けられたシャワーヘッド吐水操作部材１２、スパウト吐水操作部材１４、止水操作部材１６を、それぞれ同一直線上に配列する構成にしたが、本発明は、このような構成に限定されるものではなく、例えばシャワーヘッド吐水操作部材１２、スパウト吐水操作部材１４、止水操作部材１６をそれぞれ同一直線上ではなく三角形型に配置する構成にしてもよい。
【００４６】
さらに、本発明の一実施形態においては、第１操作カム部２６及び第２操作カム部２８は、ロック部材２４の下方から挿入されているが、上方から挿入されても良い。その場合、ロック解除カム部３２が止水操作部材１６に備え付けられている構成と同様に、第１操作カム部２６及び第２操作カム部２８は、シャワーヘッド吐水操作部材１２及びスパウト吐水操作部材１４に備え付けられる構成となる。また、このとき、第１操作カム部２６及び第２操作カム部２８と、シャワーヘッド吐水操作部材１２及びスパウト吐水操作部材１４とを、一体に成形しても良い。
【符号の説明】
【００４７】
１        水栓装置
２        水栓本体
４        湯温調節用操作ハンドル      
６        スパウト
６ａ      スパウト吐水口
８        シャワーヘッド
８ａ      シャワーヘッド吐水口
１０      湯水混合弁
１０ａ    湯水混合弁流出口
１２      シャワーヘッド吐水操作部材
１４      スパウト吐水操作部材
１６      止水操作部材
１８      カバー部
２０      カム機構部
２２      水栓本体基端部
２４      ロック部材
２４ａ    開口部
２６      第１操作カム部
２６ａ    第１カム構成部材
２６ｂ    第１カム傾斜部
２６ｃ    第１カム上面部
２８      第２操作カム部
２８ａ    第２カム構成部材
２８ｂ    第２カム傾斜部
２８ｃ    第２カム上面部
３０      第２の付勢手段
３２      ロック解除カム部
３２ａ    ロック解除カム傾斜部
３４      仕切り部
３６      第１の流路
３８      第２の流路
４０      第１弁部材
４２      第２弁部材
４４      第１の付勢手段
【図１】
2015096669.tif 000003
【図３】
2015096669.tif 000004
【図４】
2015096669.tif 000005
【図５】
2015096669.tif 000006
【図６】
2015096669.tif 000007
【図７】
2015096669.tif 000008
【図８】
2015096669.tif 000009
【図２】
2015096669.tif 000010